(57)【要約】【課題】収縮や膨張時における板状外壁材の反り変形を抑制することのできる外壁を提供する。【解決手段】硬質木片セメント板５２と、この硬質木片セメント板５２の裏面に接合されるフレーム５１とを備えた外壁パネル５であって、硬質木片セメント板５２の表面には、剛性の高いタイル状の複数の表面部材が接着剤で接合されており、硬質木片セメント板５２とフレーム５１との接合部分のうち、所定の接合強度が要求されるフレーム５１の縦枠５１ｂ，５１は接着剤とスクリュー釘５２ａとで接合されており、縦枠５１ｂ，５１以外の他の部分である横枠５１ｃ，５１ｃ及び中間枠５１ｄ,…はスクリュー釘５２ａのみで接合されている。【選択図】図２
2018053639.tif 000002
【特許請求の範囲】
【請求項１】
板状外壁材と、この板状外壁材の裏面に接合されるフレームとを備えた外壁であって、
前記板状外壁材の表面には、剛性の高いタイル状の複数の表面部材が接着剤で接合されており、
前記板状外壁材と前記フレームとの接合部分のうち、所定の接合強度が要求される所定部分は接着剤とスクリュー釘とで接合されるとともに、前記所定部分以外の他の部分はスクリュー釘で接合されていることを特徴とする外壁。
【請求項２】
前記所定部分以外の他の部分は、前記スクリュー釘と弾性率が所定値以上の接着剤とで接合されていることを特徴とする請求項１に記載の外壁。
【発明の詳細な説明】
【技術分野】
【０００１】
この発明は、板状外壁材とフレームとを備えた建物の外壁に関する。
【背景技術】
【０００２】
従来から、板状外壁材である硬質木片セメント板とフレームとを備えた建物の外壁が知られている（特許文献１参照）。
【０００３】
かかる外壁は、硬質木片セメント板の裏面にフレームを接着剤とスクリュー釘とで接合している。
【先行技術文献】
【特許文献】
【０００４】
【特許文献１】特許第４１６１００２号公報
【発明の概要】
【発明が解決しようとする課題】
【０００５】
このような外壁では、硬質木片セメント板の収縮、膨張などの変形時において、その硬質木片セメント板の裏面側は接着剤によってフレームに固定されていることにより、その裏面側の変形拘束が表面側の変形拘束より強くなっている。このため、硬質木片セメント板は、その収縮や膨張時に反り変形が発生するという問題があった。
【０００６】
この発明の目的は、収縮や膨張時における板状外壁材の反り変形を抑制することのできる外壁を提供することにある。
【課題を解決するための手段】
【０００７】
本発明は、板状外壁材と、この板状外壁材の裏面に接合されるフレームとを備えた外壁であって、前記板状外壁材の表面には、剛性の高いタイル状の複数の表面部材が接着剤で接合されており、前記板状外壁材と前記フレームとの接合部分のうち、所定の接合強度が要求される所定部分は接着剤とスクリュー釘とで接合されるとともに、前記所定部分以外の他の部分はスクリュー釘で接合されていることを特徴とする。
【発明の効果】
【０００８】
この発明によれば、収縮や膨張時における板状外壁材の反り変形が抑制される。
【図面の簡単な説明】
【０００９】
【図１】この発明に係る実施例の外壁を有する建物ユニットの概略構成を示す斜視図である。
【図２】（ａ）は図１に示す外壁の硬質木片セメント板の正面図であり、（ｂ）はその硬質木片セメント板の背面図である。
【図３】図１に示す外壁の主要な構成を示す断面図である。
【図４】図２の硬質木片セメント板の表面に接合した表面部材の配置を示した外壁の正面図である。
【図５】図４に示す外壁の構成を示す断面図である。
【図６】他の例の外壁を示す正面図である。
【発明を実施するための形態】
【００１０】
以下、この発明に係る外壁の実施の形態である実施例を図面に基づいて説明する。
【実施例】
【００１１】
図１は、この発明に係る外壁を有する建物ユニット１の概略構成を説明するための斜視図である。
【００１２】
この建物ユニット１は、横方向及び上下方向に複数連結させることでユニット建物（図示せず）を構成するものである。
【００１３】
まず、構成から説明すると、この建物ユニット１は、四隅に配置される４本の柱２，…と、その上端間に横架される梁としての天井梁３１，…と、その下端間に横架される梁としての床梁３２，…とから構成される骨組構造体としてのラーメン構造体１１を主たる構造部材としている。
【００１４】
この柱２と天井梁３１及び床梁３２とは、剛接合されているが、この剛接合はまったく柱２と梁３１，３２との角度が変わらないものに限定されるものではなく、現実的な構造物としての半剛接合で接合されているものも含むものである。
【００１５】
また、床梁３２，３２間には、所定の間隔を置いて複数の小梁３２１，…が架け渡されている。
【００１６】
そして、図１の前面側の柱間２，２には、４枚の外壁としての外壁パネル５，…を取り付けるための５本の間柱４，…が配置されている。
【００１７】
この間柱４は、上端が天井梁３１に連結されるとともに、下端が床梁３２に連結される。また、柱２に隣接する間柱４，４を除いた中間の３本の間柱４，４，４には、それぞれ２枚の別体の外壁パネル５，５の側縁が接合される。
【００１８】
この外壁パネル５の外側から見た正面図を図２（ａ）に、建物ユニット１の内側から見た裏面図を図２（ｂ）に示す。
【００１９】
この外壁パネル５は、矩形の面材としての硬質木片セメント板（板状外壁材）５２と、その裏面側の縁部を囲繞するように配置される装着部としてのフレーム５１とから主に構成される。
【００２０】
このフレーム５１は、図２（ｂ）に示されるように、２本の縦枠５１ｂ，５１ｂと、その縦枠５１ｂ，５１ｂの上端間及び下端間を繋ぐ横枠５１ｃ，５１ｃと、その横枠５１ｃ，５１ｃ間に上下方向に間隔を置いて複数配置される中間枠５１ｄ，…とから主に構成される。
【００２１】
そして、この縦枠５１ｂ，５１ｂには、棒状連結材としてのリベット６を挿通させる孔としてのリベット孔５１ａが、上下方向に間隔を置いて複数開口されている。
【００２２】
また、図２（ａ）に示すように、硬質木片セメント板５２は、複数本のスクリュー釘５２ａ，…によってフレーム５１の縦枠５１ｂ，５１ｂと横枠５１ｃ，５１ｃと中間枠５１ｄ,…とに固定（接合）されている。
【００２３】
この外壁パネル５の断面図を図３に示す。この図３に示すように、硬質木片セメント板５２とフレーム５１の縦枠５１ｂ，５１ｂとがウレタン系の接着剤５３によって接合されている。また、硬質木片セメント板５２とフレーム５１の横枠５１ｃ，５１ｃ及び中間枠５１ｄ,…とがスクリュー釘５２ａ，…のみで接合されている。
【００２４】
すなわち、所定の接合強度が要求される所定部分である縦枠５１ｂ，５１ｂの部分が接着剤５３とスクリュー釘５２ａ，…とによって接合されている。また、所定強度が要求されない部分、すなわち、所定部分以外の他の部分である横枠５１ｃ，５１ｃ及び中間枠５１ｄ,…の部分がスクリュー釘５２ａ，…のみで接合されている。
【００２５】
つまり、硬質木片セメント板５２とフレーム５１の縦枠５１ｂ，５１ｂとの接合強度が大きく（強く）設定され、硬質木片セメント板５２とフレーム５１の横枠５１ｃ，５１ｃ及び中間枠５１ｄ,…との接合強度が小さく(弱く)設定されている。また、硬質木片セメント板５２の表面には、剛性の高いタイル状の複数の表面部材(図示せず)が接合されているが、ここではその説明は省略する。
【００２６】
また、間柱４と外壁パネル５とは、図３に示すように、棒状連結材としてのリベット６によって接合される。このリベット６は、ワンサイドリベットであり、間柱４側から打ち込むだけでフレーム５１と間柱４とを接合することができる。
［作  用］
次に、上記のように構成される外壁パネル５の作用について説明する。
【００２７】
外壁パネル５は、太陽光などによって硬質木片セメント板５２が乾燥して収縮しても、硬質木片セメント板５２とフレーム５１の横枠５１ｃ，５１ｃ及び中間枠５１ｄ,…との接合が弱く設定されていることにより、すなわち、横枠５１ｃ，５１ｃ及び中間枠５１ｄ,…による硬質木片セメント板５２に対する変形拘束が弱いことにより、硬質木片セメント板５２の裏面側も収縮していくことができる。このため、硬質木片セメント板５２の表面だけが収縮してしまうことがなく、硬質木片セメント板５２の反り変形が抑制されることになる。
【００２８】
同様に、硬質木片セメント板５２が膨張した際も、横枠５１ｃ，５１ｃ及び中間枠５１ｄ,…による硬質木片セメント板５２に対する変形拘束が弱いことにより、硬質木片セメント板５２の裏面側も膨張していくことができる。このため、硬質木片セメント板５２の表面だけが膨張してしまうことがなく、硬質木片セメント板５２の反り変形が抑制されることになる。
【００２９】
また、硬質木片セメント板５２とフレーム５１の横枠５１ｃ，５１ｃ及び中間枠５１ｄ,…との接合強度が小さくても、硬質木片セメント板５２とフレーム５１の縦枠５１ｂ，５１ｂとの接合強度が大きくなっていることにより、硬質木片セメント板５２が外力によってフレーム５１から外れてしまうなどの不具合は生じない。
【００３０】
上記実施例では、横枠５１ｃ，５１ｃ及び中間枠５１ｄ,…は、スクリュー釘５２ａだけで硬質木片セメント板５２に接合されているが、所定値以上の弾性率Ｐ１、すなわち接着剤５３の弾性率よりも大きい弾性率Ｐ１を有する接着剤でその部分を接合してもよい。この場合、接着剤が所定値以上の弾性率Ｐ１を有することにより、横枠５１ｃ，５１ｃ及び中間枠５１ｄ,…の硬質木片セメント板５２に対する変形拘束が弱く、このため上述のように硬質木片セメント板５２の反り変形を抑制することができる。
【００３１】
また、横枠５１ｃ，５１ｃと硬質木片セメント板５２とを接着剤で接合することにより、フレーム５１の縁部を接着剤５３及び接着剤で囲繞することができる。このため、フレーム５１と硬質木片セメント板５２との間に水が浸入し難くなり、接合部の劣化を防止することができる。
【００３２】
また、所定値以上の弾性率Ｐ１の接着剤で接合する場合、その横枠５１ｃ，５１ｃ及び中間枠５１ｄ,…の部分のスクリュー釘５２ａを省略してもよい。この場合、所定以上の接合強度が得られる接着剤５３の場合、縦枠５１ｂ，５１ｂのスクリュー釘５２ａを省略してもよい。
【００３３】
図４及び図５は、硬質木片セメント板５２の表面全体を覆うように剛性の高いタイル状の複数の表面部材１５１を密に接着剤(図示せず)で接合した外壁パネル１５０を示す。硬質木片セメント板５２の裏面には、上述のようにフレーム５１が接合されている。
【００３４】
各表面部材１５１は、上下方向に対して左右方向にずらして配置したものであり、これを左右に一対設けたものである。
【００３５】
表面部材１５１を接合した接着剤の弾性率Ｐ２は、上記の弾性率Ｐ１より小さく設定されている。すなわち、弾性率Ｐ２は所定の設定値以下に設定されている。
【００３６】
外壁パネル１５０は、フレーム５１の縦枠５１ｂ，５１ｂと横枠５１ｃ，５１ｃと中間枠５１ｄ，…とが接着剤５３によって硬質木片セメント板５２に接合されるとともに、複数のスクリュー釘５２ａによって接合されているが、上述と同様に、弾性率Ｐ１の接着剤で接合する場合の横枠５１ｃ，５１ｃ及び中間枠５１ｄ,…の部分のスクリュー釘５２ａを省略してもよく、また、所定以上の接合強度が得られる接着剤５３の場合の縦枠５１ｂ，５１ｂのスクリュー釘５２ａを省略してもよい。
【００３７】
また、表面部材１５１の厚さは、所定以上の剛性を得るために所定の厚さＨ以上となっている。
【００３８】
この外壁パネル１５０によれば、硬質木片セメント板５２の表面に剛性の高い表面部材１５１を接合させたものであるから、硬質木片セメント板５２の表面の変形拘束が強くなり、上述と同様に硬質木片セメント板５２の反り変形を抑制することができる。
【００３９】
また、この実施例では、硬質木片セメント板５２の表面全体を覆うように表面部材１５１を密に接合したが、その表面の被覆率は、硬質木片セメント板５２の反り変形を十分に抑制可能な所定被覆率以上であればよい。
【００４０】
図６は、他の例の外壁パネル１６０を示す。この外壁パネル１６０は、表面部材１６１を縦横に一直線状に並ぶように配置したものであり、他の構成は外壁パネル１５０と同様な構成なので、その説明は省略する。
【００４１】
この発明は、上記実施例に限られるものではなく、特許請求の範囲の発明の要旨を逸脱しない限り、設計の変更や追加等は許容される。
【符号の説明】
【００４２】
５          外壁パネル（外壁）
５１          フレーム
５１ｂ        縦枠
５１ｃ        横枠
５１ｂ        中間枠
５２          硬質木片セメント板（板状外壁材）
５２ａ        スクリュー釘
５３          接着剤
１５０        外壁パネル（外壁）
１５１        表面部材
１６０        外壁パネル（外壁）
１６１        表面部材
【図１】
2018053639.tif 000003
【図２】
2018053639.tif 000004
【図３】
2018053639.tif 000005
【図４】
2018053639.tif 000006
【図５】
2018053639.tif 000007
【図６】
2018053639.tif 000008